(57)【要約】【課題】インサーション式流体計測器を不断水状態で設置することを前提に、その施工時間を短縮し、しかも設置高さを抑えることで他の機器や配管系との干渉を回避しつつ作業スペースをも確保して使用条件の制約をなくす上、施工後のメンテナンス性にも優れた設置装置および当該設置方法を提供する。【解決手段】既設配管に挟持固定されるサドルと、該サドルに取付けられ、さらにその二次側にインサーション式流体計測器が取付け可能な止水機構とからなり、前記止水機構は既設配管から分岐される流路方向に対して垂直方向にスライドする板状弁体と、前記流路と同心状に連通する通水口を貫設してなる弁座とを有し、且つ、板状弁体は前記通水口を閉塞するようにその片面を前記弁座に密着可能とした。また、弁座は流路の二次側に設けられ、且つ、板状弁体を一次側からの流水圧によって前記弁座に密着可能とした。【選択図】        図１
2004340865.tif 000002
【特許請求の範囲】
【請求項１】
既設配管に挟持固定されるサドルと、該サドルに取付けられ、さらにその二次側にインサーション式流体計測器が取付け可能な止水機構とからなり、前記止水機構は既設配管から分岐される流路方向に対して垂直方向にスライドする板状弁体と、前記流路と同心状に連通する通水口を貫設してなる弁座とを有し、且つ、板状弁体は前記通水口を閉塞するようにその片面を前記弁座に密着可能としたことを特徴とするインサーション式流体計測器の設置装置。
【請求項２】
弁座は流路の二次側に設けられ、且つ、板状弁体を一次側からの流水圧によって前記弁座に密着可能とした請求項１記載のインサーション式流体計測器の設置装置。
【請求項３】
インサーション式流体計測器は止水機構に取付けられるマウント部材を介して固定され、前記インサーション式流体計測器はナットと該ナットの内部に位置してキーを備え、前記マウント部材はその上端に前記ナットとの螺合部およびインサーション式流体計測が非回転の状態で前記キーが係合する切欠を設けてなる請求項１または２記載のインサーション式流体計測器の設置装置。
【請求項４】
既設配管に挟持固定されるサドルに前記既設配管から分岐される流路方向に対して垂直方向にスライドする板状弁体を備えた止水機構を設け、該止水機構に穿孔装置を取付けて前記既設配管に分岐孔を穿設した後、該止水機構にインサーション式流体計測器を取付け、該流体計測器を前記分岐孔に非回転、且つ、有圧の状態で挿入するまでの作業を、前記止水機構による開閉弁操作のみによって行うことを特徴としたインサーション式流体計測器の設置方法。
【請求項５】
穿孔装置による分岐孔の穿孔後、該分岐孔に対して防錆リングを挿入する工程を付加した請求項４記載のインサーション式流体計測器の設置方法。
【発明の詳細な説明】
【０００１】
【発明の属する技術分野】
この発明は、既設配管中にインサーション式流体計測器を不断水状態で設置するための装置およびその工法に関するものである。
【０００２】
【従来の技術】
インサーション式の流量計、圧力計、温度計または分析系のセンサなどの流体計測器（これらを総称して「インサーション式流体計測器」という。）は、その計測部を管内に位置させ、磁界、超音波等の信号を得て流体の流量や圧力、温度等を測定するが、これを既設配管に増設する場合、通常、一旦断水等の処置を行う必要がある。
【０００３】
しかし、これでは二次側が全て断水状態となって不便であるため、例えば特許文献１には、陽極電極を不断水下で既設配管に取付ける方法について開示がある。即ち、当該方法は、水道管に器具取付け用の分岐口を穿孔するに当たり、その穿孔器具にボール弁をマウントし、該ボール弁によって分岐口を開閉可能としたものである。
【０００４】
【特許文献１】
特開２００２−２４１９７５号公報
【０００５】
【発明が解決しようとする課題】
しかしながら、上述した従来技術は嵩の大きいボール弁を用いるものであるため、分岐口の止水機構および該機構に取付けた器具全体が大型化し、また装置の大型化に伴ってコスト高にもなるといった課題がある。
【０００６】
そこで、本発明は、インサーション式流体計測器を不断水状態で設置することを前提に、その施工時間を短縮し、しかも設置高さを抑えることで他の機器や配管系との干渉を回避しつつ作業スペースをも確保して使用条件の制約をなくす上、施工後のメンテナンス性にも優れた設置装置および当該設置方法を提供することを目的としてなされたものである。
【０００７】
【課題を解決するための手段】
上述した目的を達成するために本発明では、既設配管に挟持固定されるサドルと、該サドルに取付けられ、さらにその二次側にインサーション式流体計測器が取付け可能な止水機構とからなり、前記止水機構は既設配管から分岐される流路方向に対して垂直方向にスライドする板状弁体と、前記流路と同心状に連通する通水口を貫設してなる弁座を有し、且つ、板状弁体は前記通水口を閉塞するようにその片面を前記弁座に密着可能とするという手段を用いた。この手段によれば、弁座に板状弁体を面密着させることによって通水口を閉塞、即ち止水作用を行うものである。このため、従来技術で説明したボール弁に比べて、止水機構の全体の嵩を小さくすることができる。
【０００８】
また請求項２では、弁座は流路の二次側に設けられ、且つ、板状弁体を一次側からの流水圧によって前記弁座に密着可能とする手段を用いた。
【０００９】
さらに請求項３では、インサーション式流体計測器は止水機構に取付けられるマウント部材を介して固定され、前記インサーション式流体計測器はナットと該ナットの内部に位置してキーを備え、前記マウント部材はその上端に前記ナットとの螺合部およびインサーション式流体計測が非回転の状態で前記キーが係合する切欠を設けるという手段を用いた。
【００１０】
またインサーション式流体計測器の不断水設置方法として、請求項４では、既設配管に挟持固定されるサドルに前記既設配管から分岐される流路方向に対して垂直方向にスライドする板状弁体を備えた止水機構を設け、該止水機構に穿孔装置を取付けて前記既設配管に分岐孔を穿設した後、該止水機構にインサーション式流体計測器を取付け、該流体計測器を前記分岐孔に非回転、且つ、有圧の状態で挿入するまでの作業を、前記止水機構による開閉弁操作のみによって行うこととした。
【００１１】
また、この設置方法において、請求項５では、穿孔装置による分岐孔の穿孔後、該分岐孔に対して防錆リングを挿入する工程を付加した。
【００１２】
【発明の実施の形態】
以下、本発明の好ましい実施の形態を添付した図面に従って説明する。図１、２は、本発明の一実施形態に係る設置装置を示したもので、既設配管Ｐへの設置完了後の状態を示したものである。図中、Ｓは既設配管Ｐに挟持固定されるサドル、Ｖは該サドルＳの上部バンドＳ１に取付けられる止水機構、Ｄは止水機構Ｖに取付けられたインサーション式流量計である。ここで本発明の設置装置は、主として止水機構ＶとサドルＳとにより構成されている。なお、サドルＳは上下バンドＳ１・Ｓ２をボルトナットＳ３によって固定する構造であり、従来のサドル分水栓におけるサドルと同じ構成を採用することができる。また、サドルＳと既設配管Ｐ間の水密性を高めるために裁断円錐状のパッキンＰ４を設けたり、既設配管Ｐに穿設した分岐孔に防錆リングＰ５を設けることも、サドル分水栓の従来設置方法と同じである。
【００１３】
止水機構Ｖについて詳述すると、１は弁箱、２・３は弁箱１に形成された上下方向の通水口、４は二次側流路側の通水口２周囲に設けた弁座、５は断面Ｌ字状の板状弁体、６は外周面に雄ねじを形成したステムであって、ステム６を回動させることによって、そのネジ作用により板状弁体５を流路方向に対して垂直方向に移動させるようにしたものである。また、二次側の通水口２には雌ねじ２ａを形成した接続部２ｂが、一次側の通水口３には雄ねじ３ａを形成した接続部３ｂが弁箱１に一体的に設けられ、二次側接続部２ｂには弁座４が螺合され、一次側接続部３ｂを上部サドルＳ１の分岐口に螺合可能としている。さらに、弁箱１には、図２から明らかなように、流量計Ｄを本器に接続するためのマウント部材ＭがボルトＢにより固定されている。
【００１４】
上記構造の止水機構Ｖによれば、ステム６を操作することによって板状弁体５を通水口２を閉塞する方向（図中、矢印方向）に移動させるものであるが、このとき板状弁体５と弁箱１との間には板状弁体５を移動させるためのクリアランスがある。このため板状弁体５によって通水口２を閉塞しても、前記クリアランスから漏水する可能性がある。しかしながら、この実施形態では弁座４を二次側流路側に設けたので、板状弁体５には一次側の流水圧が作用し、板状弁体５を弁座４に着座させることができる。
【００１５】
続いて、図３〜７に従って本発明に係るインサーション式流体計測器の設置方法を説明し、上記設置装置の具体的構成も合わせて詳述する。
【００１６】
先ず、図３は本設置装置を既設配管Ｐに設置したところを示すもので、上部バンドＳ１に予め止水機構Ｖを固定したサドルＳを既設配管Ｐに取付ける。このとき上部バンドＳ１内には上述した裁断円錐状のパッキンＰ４を内蔵しておく。また止水機構Ｖにおける板状弁体５は開いた状態にしておく。
【００１７】
図４は、止水機構Ｖに穿孔装置１０を取付けた状態を示すもので、止水機構Ｖにアタッチメント１１を取付けた後、該アタッチメント１１に穿孔装置１０を取付けている。なお、穿孔装置１０そのものは、従来からサドル分水栓の設置に使用されているものが使用され、カッタやホルソなどで既設配管Ｐに止水機構Ｖと連通する分岐孔を穿設する。このとき既設配管Ｐは不断水の状態にあることはもちろんである。当該穿孔が完了したなら、図５に示したように、止水機構Ｖを上述した要領に従って閉弁し、その後、止水機構Ｖからアタッチメント１１および穿孔装置１０を取り外す。即ち、ステム６を回動操作することによって、板状弁体５が分岐孔からの流路を横断する方向にスライドし、弁座４と着座して、機構内を止水状態とすることができる。
【００１８】
図６は、本発明方法に好ましくは適用される防錆リング２０の取付工程を示したもので、上述した穿孔装置１０の取付工程とほぼ同じ構成により達成される。即ち、止水機構Ｖにアタッチメント２１を取付けた後、該アタッチメント２１に防錆リング２０の取付装置２２を取付け、先端に防錆リング２０を取付けた挿入棒２３を降下させて、既設配管Ｐに穿設した分岐孔に防錆リング２０を嵌入するものである。なお、このとき止水機構Ｖは開弁する一方、アタッチメント２１のドレン部２１ａは閉塞しておく。
【００１９】
以上の準備工程が完了したなら、続いて図７に示したように、流量計Ｄの設置に移る。この工程では、先ず止水機構Ｖの上部に流量計Ｄを取付けるためのマウント部材３０を設置する。該マウント部材３０は流量計Ｄを取付けるための従来品と同一構成である。即ち、その上端には雄ねじ３１と後述する流量計Ｄのキーが嵌合する切欠３２が形成されている。これに対して、流量計Ｄの計測部Ｄ１中途には、マウント部材３０の雄ねじ３１と螺合するナット部材Ｄ２が設けられ、且つ、内部には前記切欠３２と係合するキーＤ３が固定されている。なお、マウント部材３０は止水機構Ｖに対してＯリング等の適宜パッキンを介して、止水機構Ｖの上部に嵌入され、固定される。
【００２０】
そして、止水機構Ｖを外装する筐体４０内において、メータ部Ｄ４を被包しつつ、該メータ部Ｄ４と棒状の計測部Ｄ１を結合するナット部材Ｄ５に係合するアクチュエータ部４１をハンドル４２によって操作することによって、流量計Ｄを非回転、且つ、有圧の状態で降下させる。このとき、計測部Ｄ１が既設配管Ｐ中、所定位置に挿入されるまで流量計Ｄを降下させる。この挿入深さおよび向きは、正確な計測を行うために、常に一定でなければならないが、本発明によれば、止水機構Ｖとマウント部材３０の合計高さを決めておき、且つ、マウント部材３０に上述した切欠３２を設けているため、流量計Ｄの計測部Ｄ１を適切な深さおよび向きに設置することができる。
【００２１】
つまり、流量計ＤのキーＤ３がマウント部材３０の切欠３２に係合されれば、そのとき流量計Ｄの設置位置が決定される。そして、この状態で、流量計Ｄのナット部材Ｄ２をマウント部材３０の雄ねじ３１に螺合させることによって、流量計Ｄの固定作業が完了する。なお、この工程では筐体４０を設置後、流量計Ｄの挿入直前に、止水機構Ｖを開弁する。即ち、止水機構Ｖの開弁と可及的同時に流量計Ｄを挿入することによって、既設配管Ｐの分岐孔からの漏水が防止され、ここからの漏水は筐体４０によっても防止される。
【００２２】
【発明の効果】
以上説明したように、本発明によれば、板状弁体をスライドさせて通水口を閉塞するようにしたので、ボール弁等の止水機構に比べて、全体の嵩を大幅に小さくすることができ、結果、インサーション式流体計測器の設置高さを低く抑えることができる。つまり、取付け後の配管上の計測器の設置高さは最小限に抑えられ、他の配管その他の機器との干渉が回避され、施工時の作業スペースの削減も可能で、使用条件の制約が大幅に解消される。さらに、インサーション式流体計測器の具体的結合構造として、キーと切欠との係合構造を採用したので、該計測器のセンサ突き出し距離を常に一定に保つことができると共に、計測器を非回転の状態で挿入できるから、その向きも担保され、正確な計測に資することができる。さらにまた精密機器に属するインサーション式流体計測器は定期的な点検等が必要とされるが、本発明装置によれば設置後も流体計測器の取り外しが簡単にでき、点検、修理、交換等のメンテナンス性に優れている。
【図面の簡単な説明】
【図１】実施形態に係る本発明設置装置の断面図（側面視）
【図２】実施形態に係る本発明設置装置の断面図（正面視）
【図３】実施形態に係る本発明設置方法の第一工程図
【図４】同方法の第二工程図
【図５】同方法の第三工程図
【図６】同方法の第四工程図
【図７】同方法の第五工程図
【符号の説明】
Ｐ  既設配管
Ｄ  流量計
Ｖ  止水機構
Ｓ  サドル
１  弁箱
２・３  通水口
４  弁座
５  板状弁体
６  ステム
【図１】
2004340865.tif 000003
【図２】
2004340865.tif 000004
【図３】
2004340865.tif 000005
【図４】
2004340865.tif 000006
【図５】
2004340865.tif 000007
【図６】
2004340865.tif 000008
【図７】
2004340865.tif 000009